(57)【特許請求の範囲】
【請求項１】
サッシ枠を壁部に形成された開口部に取付ける際のサッシ枠の防水構造であって、
前記壁部の壁面に敷設される防水シートが、前記開口部の縁部を覆うようにして設けられ、前記開口部の周囲の壁面に、前記サッシ枠が前記防水シートの上から取付けられ、さらに、前記サッシ枠の外周縁部と前記防水シートとには、これらを接合する防水テープが貼設されていることを特徴とするサッシ枠の防水構造。
【請求項２】
請求項１記載のサッシ枠の防水構造において、
前記開口部の上端縁部の壁面には防水テープが貼設され、この防水テープ上に前記防水シートの縁部が貼設されていることを特徴とするサッシ枠の防水構造。
【請求項３】
請求項１または２記載のサッシ枠の防水構造において、
前記サッシ枠の上端部より上方の壁面には、前記防水シートの上からシャッターボックスが取付けられ、当該シャッターボックスと前記防水シートとには、これらを接合する防水テープが貼設されていることを特徴とするサッシ枠の防水構造。
【請求項４】
請求項１〜３のいずれかに記載のサッシ枠の防水構造において、
前記サッシ枠を取付けるべき開口部が形成された壁部が、桟材を枠状に組んでなる枠体の両面に面材を貼設してなる壁パネルで構成されていることを特徴とするサッシ枠の防水構造。
【発明の詳細な説明】
【０００１】
【発明の属する技術分野】
本発明は、サッシ枠を壁部に形成された開口部に取付ける際のサッシ枠の防水構造に関するものである。
【０００２】
【従来の技術】
プレハブ住宅を施工する方法の一つとして、住宅の床、壁、屋根等をパネルを用いて施工する方法が知られている。この施工方法は、予め工場等において木製の桟材を枠組みすることにより枠体を形成し、該枠体の少なくとも一面に合板等の面材を貼設することにより床パネル、壁パネル、屋根パネル等を製造し、施工現場においてこれらのパネルを組み付けていくことにより建物を構築する方法である。
【０００３】
ところで、このようなパネル工法を用いて壁を形成するにあたり、例えば窓部を形成するには、図１０に示すように、壁パネル１、１間の上部にそれぞれ小壁パネル２を取り付けることにより開口部を有する大型連結壁パネル３を形成し、該開口部内の壁パネル１、１の側面に方立材４，４を接着、釘打ち等によって取付固定する。そして、このようにして形成された小壁パネル２および方立材４，４に囲まれた開口部５内に、図１１に示すようにサッシ枠６を嵌め込むとともに、サッシ枠６と開口部５の内周面との間にパッキン材７を介在させ、これらを釘６ａ…で止めることによって取付固定している。
【０００４】
また、前記サッシ枠６の上面には、両面が粘着性を有する防水テープ８が貼付され、この防水テープ８の上面に、大型連結壁パネル３の表面に敷設される透湿防水シート９の縁部が貼付され、これによって、サッシ枠６と大型連結壁パネル３との間の防水をとっている。
【０００５】
【発明が解決しようとする課題】
しかしながら、上記の場合、サッシ枠、透湿防水シートの取付けが現場施行となってしまうので、これが工業化を損なう要員の一つとなっていた。
そこで、工場等において（大型連結）壁パネルに予めサッシ枠、透湿防水シートを取付けておくことが考えられるが、この場合、上述したような、サッシ枠の上面に、両面が粘着性を有する防水テープを貼付し、この防水テープの上面に、（大型連結）壁パネルの表面に敷設される透湿防水テープの縁部を貼付するといった、従来のサッシ枠の防水構造では、壁パネルにサッシ枠を先に取付け、その後、透湿防水シートを敷設することになる。したがって、この場合、壁パネルの表面からサッシ枠が突出しているので、透湿防水シートを壁パネルの表面に敷設し難いという問題がある。
【０００６】
つまり、工場等においては、壁パネルが生産ラインを順次搬送され、この搬送ライン中において、壁パネルの表面全体に上から透湿防水シートを平坦に敷いて貼設し、該透湿防水シートを前記開口部の分だけカットするのであるが、壁パネルにサッシ枠が取付けられていると、透湿防水シートを壁パネルの表面に平坦に敷くのが難しく、その上、透湿防水シートを前記開口部の分だけ正確にカットするのが難しいのである。
【０００７】
本発明は上記事情に鑑みてなされたもので、透湿防水シートの敷設とサッシ枠の取付けを容易に行うことができるサッシ枠の防水構造を提供することを目的としている。
【０００８】
【課題を解決するための手段】
上記目的を達成するために、本発明の請求項１のサッシ枠の防水構造は、図２に示すように、開口部５が形成された壁部１０の壁面に敷設される防水シート１１を、前記開口部５の縁部を覆うようにして設け、前記開口部５の周囲の壁面に、サッシ枠６を前記防水シート１１の上から取付け、さらに、前記サッシ枠６の外周縁部と前記防水シート１１とに、これらを接合する防水テープ１３を貼設したものである。
【０００９】
前記防水シート１１としては、水は透過せず水蒸気は透過するミクロなポアを有した透湿防水シート１１が好ましく、具体的にはタイベック（商品名：デュポン社製）または、ルクサー（商品名：旭化成株式会社製）等かならなるものである。また、防水シート１１としては、一般的なサイディング工事に使用されるフェルト等を用いてもよい。
また、前記防水シート１１を前記開口部５の縁部を覆うようにして設ける場合、壁部１０の壁面全体に防水シート１１を敷いて貼設した後に、前記開口部５の分だけ防水シート１１をカットして設けるか、あるいは、防水シート１１を予め前記開口部５の分だけカットしておき、この防水シート１１を壁面に敷設してもよい。
【００１０】
前記防水テープ１１は、片面に接着材が塗布された帯状をなすもので、具体的には防水テープ５０（宇部興産社製）からなるものである。この防水テープ１１を前記サッシ枠６の外周縁部と前記防水シート１１とに貼設する場合、接着材が塗布された面を下にして、前記開口部５の縁部に沿って貼設する。
【００１１】
請求項１のサッシ枠の防水構造にあっては、壁部１０の壁面に敷設される防水シート１１を、開口部５の縁部を覆うようにして設け、前記開口部５の周囲の壁面に、サッシ枠６を前記防水シート１１の上から取付けているので、サッシ枠６を取付ける前に、防水シート１１を壁面に敷設することができる。したがって、防水シート１１を壁面に容易かつ確実に平坦に敷設することができ、この防水シート１１を敷設した後にサッシ枠６を容易に取付けることができる。
また、前記防水シート１１を前記開口部５の分だけ正確にカットするのも、該開口部５の縁に沿って防水シート１１をカッター等でカットするだけで簡単に行える。
さらに、前記サッシ枠６の外周縁部と前記防水シート１１とに、これらを接合する防水テープ１３を貼設しているので、サッシ枠６と防水シート１１との間への水の侵入を防止でき、よって、サッシ枠６と壁面との間を防水を確実に行うことができる。
【００１２】
請求項２のサッシ枠の防水構造は、図３に示すように、請求項１において、前記開口部５の上端縁部の壁面に防水テープ１４を貼設し、この防水テープ１４上に防水シート１１の縁部を貼設したものである。
前記防水テープ１４は、両面に接着剤が塗布された帯状をなすもので、具体的にはブチルシーラー３０（宇部興産社製）からなるものである。
【００１３】
請求項２のサッシ枠の防水構造にあっては、前記開口部５の上端縁部の壁面に防水テープ１４が貼設され、この防水テープ１４の上に前記防水シート１１の縁部が貼設されているので、開口部５の上端側に位置する防水シート１１の縁部を防水テープ１４を介して開口部５の上端縁部の壁面に確実に貼着することができ、よって、開口部５の上端縁部の防水をより確実なものとすることができる。
【００１４】
請求項３のサッシ枠の防水構造は、図８に示すように、請求項１または２において、前記サッシ枠６の上端部より上方の壁面に、前記防水シート１１の上からシャッターボックス２１を取付け、当該シャッターボックス２１と前記防水シート１１とに、これらを接合する防水テープ２４を貼設したものである。
【００１５】
前記防水テープ２４は、片面に接着材が塗布された帯状をなすもので、具体的には防水テープ５０（宇部興産社製）からなるものである。この防水テープ２４をシャッターボックス２１と前記防水シート１１とに貼設する場合、接着材が塗布された面を下にして、前記シャッターボックス２１の上端部と両側部に沿って貼設する。
【００１６】
請求項３のサッシ枠の防水構造にあっては、前記壁面に防水シート１１の上からシャッターボックス２１を取付けているので、壁面とシャッターボックス２１との間の防水を確実にとることができ、しかも、該シャッターボックス２１と前記防水シート１１とに、これらを接合する防水テープ２４を貼設しているので、シャッターボックス２１と防水シート１１との間への水の侵入を確実に防止できる。
【００１７】
請求項４のサッシ枠の防水構造は、図１〜図３に示すように、請求項１〜３のいずれかにおいて、前記サッシ枠６を取付けるべき開口部５が形成された壁部１０を、桟材１ａ，２ａを枠状に組んでなる枠体の両面に面材１ｂ，２ｂを貼設してなる壁パネル１，２で構成したものである。
【００１８】
前記サッシ枠を取付けるべき開口部は、前記壁パネル自体に開口部を形成したり、複数枚の壁パネルを組み付けることにより、開口部を形成してもよい。複数枚の壁パネルを組み付ける場合、例えば、壁パネルを正面視においてロ字状に組み付けたり、あるいは、コ字状に組み付けることにより、その中央部にサッシ枠を取付けるべき開口部を形成する。
【００１９】
請求項４のサッシ枠の防水構造にあっては、工場等において、予め、壁パネル（大型連結パネル３）に防水シート１１を敷設するとともに、開口部５にサッシ枠６を取付けることによって、施工現場での防水シート１１の敷設およびサッシ枠６の取付けが省略されるとともに、施工現場にて単に他の壁パネルとともに組み立てるだけで、窓部を含む壁部を構築することができ、これにより、工期の短縮化を図ることができる。
【００２０】
【発明の実施の形態】
以下、図面を参照して本発明のサッシ枠の防水構造の実施の形態の一例を説明する。
図１は本発明のサッシ枠の防水構造に係るサッシ枠を取付けるべき壁部を示す斜視図である。また、図２および図３は本発明のサッシ枠の防水構造の一例を示す要部の断面図であり、図１はサッシ枠の側部側を示す断面図、図２はサッシ枠の上部側を示す断面図である。
図１に示すように、壁部１０は、壁パネル１、１間の上部にそれぞれ小壁パネル２を取り付けることにより形成された大型連結壁パネル３であり、該大型連結壁パネル３には、サッシ枠６を取付けるべき開口部５が形成されている。この開口部５内の壁パネル１、１の側面には方立材４，４が接着、釘打ち等によって取付固定されている。
なお、前記壁パネル１は、図２に示すように、桟材１ａを枠状に組んでなる枠体の両面に面材１ｂ，１ｂを貼設して構成され、また、小壁パネル２も同様に、図３に示すように、桟材２ａを枠状に組んでなる枠体の両面に面材２ｂ，２ｂを貼設して構成されている。
【００２１】
前記壁部１０の外側の壁面全体には透湿防水シート１１が敷設されており、この透湿防水シート１１は、図２に示すように、前記開口部５の縁部を覆うようにして設けれられている、つまり、透湿防水シート１１は、その内側の縁が前記開口部５の縁に合致するようにして設けられている、
また、前記開口部５の周囲の壁面のうち、開口部の両側に位置する前記方立材４の側面には、サッシ枠６が前記透湿防水シート１１の上から設置され、釘１２ａによって固定されている。さらに、サッシ枠６は開口部５に嵌め込まれるとともに、サッシ枠６と開口部５の内周面との間にパッキン材７を介在させ、これらを釘１２ｂで止めることによって取付固定されている。
【００２２】
また、前記サッシ枠６の外周縁部と前記透湿防水シート１１とには、これらを接合する防水テープ１３が貼設されている。この防水テープ１３は、片面に接着材が塗布された帯状をなすものであり、接着材が塗布された面を下にして、前記開口部５の縁部に沿って貼設されている。
【００２３】
一方、前記開口部５の周囲の壁面のうち、開口部５の上部側に位置する小壁パネル２の桟材２ａの側面には、図３に示すように、防水テープ１４が貼設されている。この防水テープ１４は、両面に接着剤が塗布された帯状をなすもので、具体的にはブチルシーラー３０（宇部興産社製）からなるものである。
また、前記壁面全体に敷設された透湿防水シート１１の内側の縁は前記開口部５の縁に合致するようにして設けられている、
前記桟材２ａの側面には、サッシ枠６が前記透湿防水シート１１の上から設置され、釘１２ａによって固定されている。また、サッシ枠６は開口部５に嵌め込まれるとともに、サッシ枠６と開口部５の内周面との間にパッキン材７を介在させ、これらを釘１２ｂで止めることによって取付固定されている。さらに、前記サッシ枠６の外周縁部と前記透湿防水シート１１とには、これらを接合する防水テープ１３が貼設されている。
【００２４】
上記のようなサッシ枠の防水構造においては、前記開口部５に、サッシ枠６を前記透湿防水シート１１の上から取付けているので、サッシ枠６を取付ける前に、透湿防水シート１１を壁面に敷設することができる。したがって、透湿防水シート１１を壁面に容易かつ確実に平坦に敷設することができる。
また、前記サッシ枠６の外周縁部と透湿前記防水シート１１とに、これらを接合する防水テープ１３を貼設しているので、サッシ枠６と透湿防水シート１１との間への水の侵入を防止でき、よって、サッシ枠６と壁面との間を防水を確実に行うことができる。
【００２５】
また、前記開口部５の上端側の壁面に防水テープ１４を貼設し、この防水テープ１４の上に前記透湿防水シート１１の縁部を貼設したので、開口部５の上端側に位置する透湿防水テープ１１の縁部を防水テープ１４を介して開口部５の上端側の壁面に確実に貼着することができ、よって、開口部５の上端側の防水をより確実なものとすることができる。
さらに、サッシ枠６を取付けるべき壁部１０を、壁パネル１，１と小壁パネル２とからなる大型連結壁パネル３で構成したので、この大型連結パネル３を工場等で製造するとともに、該大型連結壁パネル３に上述したように、透湿防水シート１１を敷設し、サッシ枠６を取付けることによって、施工現場での透湿防水シート１１の敷設およびサッシ枠の取付けを省略することができ、工期の短縮化を図ることができる。
【００２６】
次に、上記構成のサッシ枠の防水構造を含み、かつ、外壁材（サイディング）やシャッターボックス等が取付けられた大型連結壁パネルの製造方法について説明する。
まず、図１に示すように、壁パネル１、１間の上部にそれぞれ小壁パネル２を取り付けることにより大型連結壁パネル３を形成し、この大型連結壁パネル３の開口部５内の壁パネル１、１の側面に方立材４，４を接着、釘打ち等によって取付固定し、次いで、前記開口部５の上端側の壁面に防水テープ１４を貼設する。
【００２７】
次に、図４に示すように、大型連結壁パネル３の下端部に、半土台１５を壁パネル１，１の下端部を連結するようにして、スクリューボルト１６…によって固定する。この半土台１５は、壁パネル１の厚さの半分の幅を有する角材状のもので、基礎等の上面の一部に設置されるようになっている。なお、基礎等の上面の残りには床パネルの端部が設置される。
【００２８】
次に、図５に示すように、大型連結壁パネル３の外側の表面全体に透湿防水シート１１を敷設し、接着剤、タッカー打ち等によって貼付する。また、前記透湿防水シート１１は、大型連結壁パネル３の上下端および左端から延出するようにして敷設し、さらに、前記開口部５の分だけ透湿防水シート１１をカットする。この透湿防水シート１１のカットは、開口部５の縁に沿ってカッター等でカットするだけで簡単に行える。また、開口部５の上端側においては、前記防水テープ１４上に透湿防水シート１１の縁部がピッタリと貼付される。
【００２９】
次に、大型連結壁パネル３の表面に前記透湿防水シート１１の上から複数の胴縁１７…を所定の位置に取付ける。これら胴縁１７…の取付けは、釘打ち等によって行い、該釘は大型連結壁パネル３内の桟材に打ち込む。
また、前記開口部５の下側に止水プレート１８を取付けるとともに、該開口部５にサッシ枠６を嵌め込み、このサッシ枠６を図２および図３に示すように、釘１２ａ，１２ｂによって固定し、さらに、図５に示すように、サッシ枠６の上端側にコーキング材１９を充填する。
【００３０】
次に、図６に示すように、前記サッシ枠６の外周部の３辺に、該外周部と前記透湿防水シート１１とを接合する防水テープ１３を貼設する。また、サッシ枠１３の上端側の大型連結壁パネル３の表面に、左右一対の引掛金具２０，２０を透湿防水シート１１の上から取付ける。この金具２０の取付けは釘打ちによって行い、該釘は大型連結壁パネル３内の桟材に打ち込む。
次に、図７に示すように、前記引掛金具２０，２０にシャッターボックス２１を取付けるとともに、サッシ枠６の下側にシャッター水切２２を取付ける。
【００３１】
次に、図８に示すように、サッシ枠６の両側に、ガイドレール下地枠２３，２３を取付ける。該ガイドレール下地枠２３，２３は前記シャッターボックス２１から垂下するもので、その内部には、シャッターボックス２１内に収納されているシャッタの下方への移動をガイドするガイドレールが取付けられる。
また、前記シャッターボックスと前記透湿防水防水シート１１とに、これらを接合する防水テープ２４を貼設する。
前記防水テープ２４は、片面に接着材が塗布された帯状をなすもので、具体的には防水テープ５０（宇部興産社製）からなるものである。この防水テープ２４をシャッターボックス２１と前記透湿防水シート１１とに貼設する場合、接着材が塗布された面を下にして、前記シャッターボックス２１の上端部と両側部に沿って貼設する。
【００３２】
このように、前記大型連結壁パネル３の表面に、透湿防水シート１１の上からシャッターボックス２１を取付けることにより、大型連結壁パネル３の表面とシャッターボックス２１との間の防水を確実にとることができ、しかも、該シャッターボックス２１と透湿防水シート１１とに防水テープ２４を貼設しているので、シャッターボックス２１と透湿防水シート１１との間への水の侵入を防止できる。
【００３３】
次に、図９に示すように、前記ガイドレール下地枠２３，２３の外周縁部と、前記シャッターボックス２１の上端部と両端部とにバックアップ材２５を取付けた後、大型連結壁パネル３の表面にサイディング２６…を取付ける。該サイディング２６…の取付けは、これを前記胴縁１７…に釘打ち等によって貼設することにより行い、また、サイディング２６…の前記開口部５側の縁部は、前記バックアップ材２５に圧接させる。なお、サイディング２６と、ガイドレール下地枠２３，２３およびシャッターボックス２１との間の若干の隙間には、施行現場にてコーキング材を前記バックアップ材２５の上から充填する。
上記のようにしてサイディング２６…を取付けたならば、前記大型連結壁パネル３の上下端および左端から延出している透湿防水シート１１の縁部を折り返してサイディング２６…に接着テープ２７…等によって仮止めするとともに、シャッターボックス２１上に養生を施す。
【００３４】
そして、上記のようにして組立られた大型連結壁パネル３は、施行現場に搬送され、施工現場にて、他の大型連結壁パネルあるいは、単なる壁パネルとともに組み立てるだけで、窓部を含む壁部を構築することができ、これにより、工期の短縮化を図ることができる。
また、前記大型連結壁パネル３において、その上下端および左端から透湿防水シート１１が延出しているので、該大型連結壁パネル３に、他の大型連結壁パネルあるいは、単なる壁パネルを接合する際には、左右方向には左端から延出している透湿防水シート１１を、接合すべきパネルに敷設された透水防湿シート上に重ね合わせ、また、上下方向には延出している透湿防水シート１１を、接合すべきパネルに敷設された透水防湿シート上に、上側の透湿防水シートが上になるようにして重ね合わせることにより、パネル接合部における防水処理を行うことができる。
【００３５】
なお、上記の説明では、本発明のサッシ枠の防水構造において、サッシ枠６を取付けるべき壁部を大型連結パネル３で構成したが、これに限ることなく、サッシ枠を取付けるべき壁部は単体の壁パネルでもよく、さらには、いわゆるツーバイフォー工法における壁部でもよく、また、在来の軸組工法における壁部でもよい。
【００３６】
【発明の効果】
以上説明したように、本発明の請求項１のサッシ枠の防水構造は、開口部が形成された壁部の壁面に敷設される防水シートを、前記開口部の縁部を覆うようにして設け、前記開口部の周囲の壁面に、サッシ枠を前記防水シートの上から取付け、さらに、前記サッシ枠の外周縁部と前記防水シートとに、これらを接合する防水テープを貼設したものであるから、サッシ枠を取付ける前に防水シートを平な壁面に敷設することができる。したがって、防水シートを壁面に容易かつ確実に平坦に敷設することができ、この防水シートを敷設した後にサッシ枠を容易に取付けることができる。
【００３７】
また、前記サッシ枠の外周縁部と前記防水シートとに、これらを接合する防水テープを貼設しているので、サッシ枠と防水シートとの間への水の侵入を防止でき、よって、サッシ枠と壁面との間を防水を確実に行うことができる。
さらに、前記防水シートを前記開口部の縁部を覆うようにして設ける場合、防水シートを壁面全体にに敷設した後、該防水シートを前記開口部の縁に沿ってカッター等でカットするだけで簡単に行うことができる。
【００３８】
請求項２のサッシ枠の防水構造は、請求項１において、前記開口部の上端縁部の壁面に防水テープを貼設し、この防水テープ上に防水シートの縁部を貼設したものであるから、開口部の上端側に位置する防水シートの縁部を防水テープを介して開口部の上端縁部の壁面に確実に貼着することができ、よって、開口部の上端縁部の防水をより確実なものとすることができる。
【００３９】
請求項３のサッシ枠の防水構造は、請求項１または２において、前記サッシ枠の上端部より上方の壁面に、前記防水シートの上からシャッターボックスを取付け、当該シャッターボックスと前記防水シートとに、これらを接合する防水テープを貼設したものであるから、壁面とシャッターボックスとの間の防水を確実にとることができ、しかも、シャッターボックスと防水シートとの間への水の侵入を防止できる。
【００４０】
請求項４のサッシ枠の防水構造は、請求項１〜３のいずれかにおいて、前記サッシ枠を取付けるべき開口部が形成された壁部を、桟材を枠状に組んでなる枠体の両面に面材を貼設してなる壁パネルで構成したものであるから、工場等において、予め、壁パネルに防水シートを敷設するとともに、開口部にサッシ枠を取付けることによって、施工現場での防水シートの敷設およびサッシ枠の取付けが省略されるとともに、施工現場にて単に他の壁パネルとともに組み立てるだけで、窓部を含む壁部を構築することができ、これにより、工期の短縮化を図ることができる。
【図面の簡単な説明】
【図１】本発明のサッシ枠の防水構造に係るサッシ枠を取付けるべき壁部を示す斜視図である。
【図２】本発明のサッシ枠の防水構造の実施の形態の一例を示すもので、壁パネルのサッシ枠が取付けれた側部側の要部断面図である。
【図３】同、壁パネルのサッシ枠が取付けれた上部側の要部断面図である。
【図４】本発明のサッシ枠の防水構造を含む大型連結パネルの製造方法を説明するためのもので、半土台を取付けた状態を示す斜視図である。
【図５】同、透湿防水シートとサッシ枠を取付けた状態を示す斜視図である。
【図６】同、防水テープを貼設した状態を示す斜視図である。
【図７】同、シャッターボックスを取付けた状態を示す斜視図である。
【図８】同、シャッターボックスの外周に防水テープを貼設した状態を示す斜視図である。
【図９】同、サイディングを取付けた状態を示す斜視図である。
【図１０】従来のサッシ枠の防水構造の一例を説明するためのもので、サッシ枠を取付けるべき大型連結パネルを示す斜視図である。
【図１１】同、壁パネルにサッシ枠を取付けた状態を示す要部断面図である。
【符号の説明】
１  壁パネル
２  小壁パネル
３  大型連結壁パネル
５  開口部
６  サッシ枠
１１  透湿防水シート（防水シート）
１３，１４  防水テープ
２１  シャッターボックス
【図１】
0003539519.tif 000002
【図２】
0003539519.tif 000003
【図３】
0003539519.tif 000004
【図４】
0003539519.tif 000005
【図５】
0003539519.tif 000006
【図６】
0003539519.tif 000007
【図７】
0003539519.tif 000008
【図８】
0003539519.tif 000009
【図９】
0003539519.tif 000010
【図１０】
0003539519.tif 000011
【図１１】
0003539519.tif 000012